(57)【要約】【課題】接続作業が簡便で、気密性が高い気体配管及び管継手の接続構造を提供する。【解決手段】管継手３の円筒形端部４に、先端部１１と、環状弾性パッキン５が被着される環状弾性パッキン移動溝１２と、気体配管２の内径より径大な気体配管当接径大部１４とを配設した。そして、管継手３の円筒形端部４を気体配管２に圧入すると、環状弾性パッキン５が、気体配管２の内面２２と環状弾性パッキン移動溝１４の溝底とで挟圧されながら、先端部１１側の溝壁１２ａから気体配管当接径大部１４側の溝壁１２ｂまで移動開始し、気体配管２の先端１０が前記気体配管当接径大部１４へ当接する位置で接続が完了する接続構造１とした。【選択図】図６
2009121506.tif 000002
【特許請求の範囲】
【請求項１】
管継手に備えられた金属製の円筒形端部が、円筒形の気体配管に内嵌されて、当該管継手と当該気体配管とが接続されてなる気体配管及び管継手の接続構造において、
前記管継手の円筒形端部には、
先端部と、
該先端部に隣接し、該先端部の円周方向と同方向に周成された、環状弾性パッキンが被着され、かつ該環状弾性パッキンが溝幅方向へ変位可能な溝幅の環状弾性パッキン移動溝と、
該管状弾性パッキン移動溝に隣接し、気体配管の内径より径大な気体配管当接径大部とが配設されてなり、
前記管継手の円筒形端部が気体配管に圧入されると、前記環状弾性パッキンが、気体配管の内面と環状弾性パッキン移動溝の溝底とで挟圧されながら、当該環状弾性パッキン移動溝の先端部側の溝壁から当該管継手の基端方向へ移動し、気体配管の先端が管継手の気体配管当接径大部と当接する位置で気体配管当接径大部側の溝壁に到達してなることを特徴とする気体配管及び管継手の接続構造。
【請求項２】
前記環状弾性パッキン移動溝に、溝開口方向へ膨隆する膨隆部が、当該環状弾性パッキン移動溝の周成方向に沿って周成されてなり、
環状弾性パッキンは、環状弾性パッキン移動溝を移動する際に前記膨隆部と気体配管との間の狭間隙を通過してなることを特徴とする請求項１記載の気体配管及び管継手の接続構造。
【発明の詳細な説明】
【技術分野】
【０００１】
本発明は、建築物の天井裏等に設置される空調設備に備えられた気体配管と、該気体配管に接続される管継手の接続構造に関するものである。
【背景技術】
【０００２】
従来、建築物の天井裏等には空調設備が設置されており、空気等の気体を所要位置に案内する金属製の気体配管（いわゆるエアダクト）が装架されていることが一般的である（例えば、特許文献１，２参照。）。  
【０００３】
また、前記気体配管は、適宜、管継手（いわゆるニップル）と接続され、気体配管相互が連結されたり分岐されたりすることもよく知られている。
【０００４】
ここで、通常、気体配管と管継手との接続構造Ａは、次に示す構成となっている。
図７に示すように、径大な円筒形気体配管ａに、径小の管継手ｂの円筒形端部が差し込まれ、そして脱離不能となるように複数箇所でビスｃ止めされて、さらに、かかる接続箇所がダクトテープｄにより巻回されて固定される。
【０００５】
【特許文献１】特開２００１−８２７９０号公報
【特許文献２】特開２００３−１２０９９３号公報
【発明の開示】
【発明が解決しようとする課題】
【０００６】
しかしながら、上記した構成は、部品点数が多く、取り付け作業が面倒であると共に、気密性が悪く、外部への気体漏れが生じやすいという問題があった。
【０００７】
そこで本発明は、接続作業が簡便で、しかも接続部位の気密性が高い気体配管及び管継手の接続構造を提供することを目的とする。
【課題を解決するための手段】
【０００８】
本発明は、管継手に備えられた金属製の円筒形端部が、円筒形の気体配管に内嵌されて、当該管継手と当該気体配管とが接続されてなる気体配管及び管継手の接続構造において、前記管継手の円筒形端部には、先端部と、該先端部に隣接し、該先端部の円周方向と同方向に周成された、環状弾性パッキンが被着され、かつ該環状弾性パッキンが溝幅方向へ変位可能な溝幅の環状弾性パッキン移動溝と、該管状弾性パッキン移動溝に隣接し、気体配管の内径より径大な気体配管当接径大部とが配設されてなり、前記管継手の円筒形端部が気体配管に圧入されると、前記環状弾性パッキンが、気体配管の内面と環状弾性パッキン移動溝の溝底とで挟圧されながら、当該環状弾性パッキン移動溝の先端部側の溝壁から当該管継手の基端方向へ移動し、気体配管の先端が管継手の気体配管当接径大部と当接する位置で気体配管当接径大部側の溝壁に到達してなることを特徴とする気体配管及び管継手の接続構造である。
【０００９】
かかる構成にあって、管継手の円筒形端部が気体配管に内嵌された状態では、環状弾性パッキンが、環状弾性パッキン移動溝の溝底、気体配管当接径大部側の溝壁、及び気体配管の内面と密着するため、外部への気体漏れが確実に阻止される。さらに、この環状弾性パッキンは、接続作業時にあって、環状弾性パッキン移動溝内を、管継手の基端方向、換言すれば気体配管の先端方向、さらに換言すれば環状弾性パッキン移動溝の溝幅方向へ横滑り又は転動するため、管継手（又は気体配管）の差込み時の抵抗が減少して、作業性が良い。また、前記環状弾性パッキンを、一側の溝壁から他側の溝壁まで移動するようにしたことにより、環状弾性パッキン移動溝の溝幅により環状弾性パッキンの移動距離を適正に規制することができ、環状弾性パッキンの過剰な転動を防止することができる。さらに、管継手の円筒形端部には、気体配管当接径大部を配設したことにより、管継手（又は気体配管）の差込み不足、又は過剰な差込みを回避するができる。なお、本発明にあっては、相対的に、管継手と気体配管とが突き合わされて接続されるのであり、管継手を気体配管に差し込む構成も、管継手に気体配管を外嵌する構成も本発明に含まれる。
【００１０】
また、前記環状弾性パッキン移動溝に、溝開口方向へ膨隆する膨隆部が、当該環状弾性パッキン移動溝の周成方向に沿って周成されてなり、環状弾性パッキンは、環状弾性パッキン移動溝を移動する際に前記膨隆部と気体配管との間の狭間隙を通過してなる構成が提案される。
【００１１】
かかる構成にあっては、接続作業時に、環状弾性パッキンが前記膨隆部と気体配管との間の狭間隙を通過することに起因する抵抗力（節度）が生ずることとなり、気体配管及び管継手の接続が完了するまでの差込み具合の確認が可能となる節度機構が構成されることとなる。また、前記構成は、環状弾性パッキンを段階的に管継手の基端方向へ片寄りなく移動させることとなり、環状弾性パッキンが円筒形端部の筒方向に対して斜めの状態で移動してしまうことを防止できる。仮に、環状弾性パッキンが斜めの状態で移動してしまうと、当該環状弾性パッキンに不要な引張力又はせん断力が作用してしまって破断を招き易くなるのであり、上記構成は係る問題を回避することができる。なお、該膨隆部は、環状弾性パッキン移動溝に単一で設けても良いし、筒方向に沿って間欠的に複数列設させてもよい。さらに、膨隆部は、環状弾性パッキン移動溝の周成方向に沿って断続的に形成されてもよいし、連続的に形成されてもよく、要は接続作業時に節度機構が構成されればよい。
【発明の効果】
【００１２】
本発明に係る気体配管及び管継手の接続構造は、環状弾性パッキンが外嵌された環状弾性パッキン移動溝を設け、気体配管の内面と環状弾性パッキン移動溝の溝底とで挟圧しながら環状弾性パッキンを管継手の基端方向へ移動させ、気体配管の先端が管継手の気体配管当接径大部と当接する位置で気体配管当接径大部側の溝壁に到達するようにしたため、気密性が向上すると共に、作業性が良いという優れた効果がある。
【発明を実施するための最良の形態】
【００１３】
以下、本発明の実施例を詳細に説明する。
建築物の天井裏等に設置される、空気等の気体を所定位置に案内する気体配管２は、図１等に示すように、金属製で円筒形状をしている。この気体配管２としては、例えば円筒形のスパイラルダクトが好適である。
【００１４】
また、前記気体配管２に連結される管継手３は、図１等に示すように、金属製で円筒形状の円筒形端部４を備えている。この管継手３としては、例えば円筒形のニップルが好適である。
【００１５】
ここで、前記管継手３の円筒形端部４には、図２に示すように、先端部１１、環状弾性パッキン移動溝１２、気体配管当接径大部１４、及び主胴部１５が互いに隣接して配設されている。
【００１６】
前記先端部１１は、気体配管２と接続した状態では（図２参照）、気体配管２内に位置する部位であり、少なくとも気体配管２の内径より径小な寸法とされている。
【００１７】
また、前記先端部１１に隣接する部位には、環状弾性パッキン移動溝１２が周成され、さらに外径Ｄの円環状弾性パッキン５が被着されている。さらに詳述すると、この環状弾性パッキン移動溝１２は、該先端部１１の円周方向に沿って配設されており、その溝幅が、後述の環状弾性パッキン５の外径Ｄの３〜５倍に設定されて、溝幅方向に環状弾性パッキン５が変位可能となっている。また、該環状弾性パッキン移動溝１２の溝深さは、外径Ｄの環状弾性パッキン５が環状弾性パッキン移動溝１２に装着された状態で、気体配管２へ管継手３の円筒形端部４を適正に圧入できる溝深さに設定されている。なお、環状弾性パッキン移動溝１２が形成される部位は、所定溝幅の溝が形成されるため、先端部１１より径小な部位となる。
【００１８】
さらに、該環状弾性パッキン移動溝１２内には、三つの膨隆部１３，１３，１３が当該環状弾性パッキン移動溝１２の溝幅方向へ間欠的に列設されている。さらに詳述すると、この膨隆部１３は、環状弾性パッキン移動溝１２の溝開口方向に膨隆していると共に、先端部１１の円周方向と同じ方向で周成されている。また、該膨隆部１３の膨隆高さは、その頂部が先端部１１よりも内側（径小）となるように設定されている。
【００１９】
また、前記環状弾性パッキン移動溝１２に隣接する部位には、前記気体配管２の内径より径大な気体配管当接径大部１４が配設されている。この気体配管当接径大部１４は、後述するように、接続完了状態で気体配管２の先端１０が当接することとなる。
【００２０】
さらに、該気体配管当接径大部１４に隣接して、所定径の主胴部１５が位置している。なお、当該管継手３にあっては、先端部１１側を先端方向として、主胴部１５側を基端方向とする。
【００２１】
上記構成にあって、気体配管２と管継手３は、次の手順で接続される。
まず、図６ａに示すように、気体配管２の先端１０と、管継手３の円筒形端部４とを対向させる。なお、管継手３に取り付けられた環状弾性パッキン５は、環状弾性パッキン移動溝１２の先端部１１側の溝壁１２ａに倣わせて配置しておく。このように、環状弾性パッキン５を溝壁１２ａに倣わせて配置することにより、該環状弾性パッキン５を管継手３の筒方向に対して直交する姿勢にすることができる。
【００２２】
そして、図６ｂに示すように、気体配管２へ管継手３の円筒形端部４を圧入する。そうすると、かかる圧入に伴い、前記環状弾性パッキン５が、気体配管２の内面２２と環状弾性パッキン移動溝１２の溝底とで挟圧される。そして、図６ｃに示すように、該環状弾性パッキン移動溝１２内を管継手３の基端方向へ横滑り、又は転動しながら移動開始する。このように、接続作業時に環状弾性パッキン５が環状弾性パッキン移動溝１２を挟圧されながら移動することにより、管継手３（又は気体配管２）の差込み時の抵抗が減少して、作業性が向上する。
【００２３】
ここで、図６ｃに示すように、環状弾性パッキン５は、膨隆部１５と気体配管２との間の狭間隙３０を通過しながら移動する。なお、環状弾性パッキン５が狭間隙３０を通過する際には、抵抗力（節度）が生ずることとなり、管継手３（又は気体配管２）の差込み深さが順次確認できる節度機構が構成されることとなる。本実施例では、管継手３を圧入開始してから接続が完了するまでに、環状弾性パッキン５は、狭間隙３０を３回通過するため、３度抵抗力（節度）が生ずる。
【００２４】
さらに、図６ｄに示すように、管継手３の圧入を継続すると、気体配管２の先端１０が管継手３の気体配管当接径大部１４と当接する。また、気体配管２の先端１０が気体配管当接径大部１４と当接するのと同時に、環状弾性パッキン５は、環状弾性パッキン移動溝１２の気体配管当接径大部１４側の溝壁１２ｂに到達することとなる。これにより、接続が完了し、気体配管２及び管継手３の接続構造１が構成される。なお、この接続完了状態にあっては、環状弾性パッキン５が、環状弾性パッキン移動溝１２の溝底、溝壁１２ｂ、及び気体配管２の内面２２と密着するため、外部への気体漏れが確実に阻止される。また、前記環状弾性パッキン５を、先端部１１側の溝壁１２ａから気体配管当接径大部１４側の溝壁１２ｂまで移動するようにしたことにより、環状弾性パッキン５の移動距離を適正に規制でき、環状弾性パッキン５の過剰な転動を防止することができる。なお、気体配管２の先端１０が管継手３の気体配管当接径大部１４に当接すると接続が完了するようにしたから、管継手３（又は気体配管２）の差込み不足、又は過剰な差込みを回避するができる。
【００２５】
また、接続作業時に、環状弾性パッキン５が狭間隙３０を通過するため、環状弾性パッキン５は段階的に管継手３の基端方向へ片寄りなく移動することとなり、環状弾性パッキン５が円筒形端部４の筒方向に対して斜めの状態で移動してしまうことが防止される。
【００２６】
また、上記実施例は、管継手３の一端に気体配管２が接続される構成であるが、管継手３の両端に円筒形端部４が配設され、両端に気体配管２がそれぞれ接続される構成であっても良い。
【００２７】
上記実施例は、本発明に係る環状弾性パッキン５として、円環状ゴムパッキンが好適に採用され得るが、弾性を有する公知のパッキン材料であれば適宜採用され得る。
【００２８】
また、本実施例は、本発明の要旨を逸脱しない範囲で適宜変更することが可能である。
【図面の簡単な説明】
【００２９】
【図１】上側に示されるのが気体配管２の正面図であり、下側に示されるのが管継手３の正面図である。
【図２】管継手３の縦断側面図である。
【図３】図２のＡ−Ａ線断面図である。
【図４】図２のＢ−Ｂ線断面図である。
【図５】図２のＣ−Ｃ線断面図である。
【図６】気体配管２及び管継手３の接続過程を示す説明図である。
【図７】従来構成の接続構造Ａを示す縦断側面図である。
【符号の説明】
【００３０】
１  接続構造
２  気体配管
３  管継手
４  円筒形端部
５  環状弾性パッキン
１１  先端部
１２  環状弾性パッキン移動溝
１２ａ  先端部側の溝壁
１２ｂ  気体配管当接径大部側の溝壁
１３  膨隆部
１４  気体配管当接径大部
２２  気体配管の内面
３０  狭間隙
【図１】
2009121506.tif 000003
【図２】
2009121506.tif 000004
【図３】
2009121506.tif 000005
【図４】
2009121506.tif 000006
【図５】
2009121506.tif 000007
【図６】
2009121506.tif 000008
【図７】
2009121506.tif 000009